(57)【要約】試験セットにより移動電話端末を試験する。試験セットは、端末が認識し、端末に上り回線でアクセス・リクエストを送信することを促すデータ・パターンを送信する。アクセス・リクエストは、試験セットによって分析され、試験セットは、端末からのアクセス・リクエストに応答せずに端末の性能を評価する。複数の異なるデータ・パターンを用いることで、それぞれは、端末に、別々のパワー・レベルでアクセス・リクエストを送信することを促し、および／または、相異なる、アクセス・リクエストに対する応答が無い場合にアクセス・リクエストを送信する最大の回数を定める。所定のデータ・パターンは、異なるパワー・レベルで複数回送信されてもよく、端末の応答を分析してアクセス・リクエストを送信しなくなる閾値を求める。
2005519546.tif 000002
【特許請求の範囲】
【請求項１】
移動電話端末（１０）を試験する方法であって、
前記端末に所定のデータ・パターン（１３）を、下り回線（１１）で送信し、前記端末がそのデータ・パターンを認識することにより、上り回線（１２）でアクセス・リクエストを送信するステップと、
前記アクセス・リクエストを受信して分析し（１５）、前記端末に応答することなく前記端末の性能を評価するステップとを有する前記移動電話端末（１０）を試験する方法。
【請求項２】
異なる動作条件下で前記端末を試験するために複数の所定のデータ・パターンを有し、前記各データ・パターンは、前記端末からのアクセス・リクエストの送信において異なる応答を要求することを特徴とする請求項１に記載の方法。
【請求項３】
前記複数の所定のデータ・パターンは、各々のデータ・パターンが、異なるパワー・レベルでアクセス・リクエストを送信することを前記端末に要求することを特徴とする請求項２に記載の方法。
【請求項４】
前記複数の所定のデータ・パターンはそれぞれ、前記端末がアクセス・リクエストに対する応答を受信しない場合にアクセス・リクエストを送信すべき最大回数を規定していることを特徴とする請求項２または３に記載の方法。
【請求項５】
前記所定のデータ・パターンは、異なるパワー・レベルで複数回送信され、前記端末からの応答を分析して、前記端末がアクセス・リクエストの送信をできなかった閾値を決定することを特徴とする請求項１ないし４のいずれか１つに記載の方法。
【請求項６】
前記所定のデータ・パターンは、ケーブル接続により前記端末に送信されることを特徴とする請求項１ないし５のいずれか１つに記載の方法。
【請求項７】
前記所定のデータ・パターンは、無線インターフェースにより前記端末に送信されることを特徴とする請求項１ないし５のいずれか１つに記載の方法。
【請求項８】
前記無線インターフェースは、他の信号から遮蔽されていることを特徴とする請求項７に記載の方法。
【請求項９】
前記アクセス・リクエストは、パワー測定により分析されることを特徴とする請求項１ないし８のいずれか１つに記載の方法。
【請求項１０】
前記アクセス・リクエストは、変調品質測定により分析されることを特徴とする請求項１ないし８のいずれか１つに記載の方法。
【請求項１１】
移動電話端末（１０）を試験する装置であって、
前記端末に所定のデータ・パターン（１３）を、下り回線（１１）で送信することにより、前記端末に上り回線（１２）でアクセス・リクエストの形式で応答させ、
前記アクセス・リクエストを分析し（１５）、前記端末へのさらなる応答をせずに、試験結果（１６）を作成するように構成されていることを特徴とする移動電話端末（１０）を試験する装置。
【請求項１２】
送信パワー・レベル、および／または、前記アクセス・リクエストに対する応答が無い場合に送信すべきアクセス・リクエストの最大数に関して異なる動作条件下で前記端末を試験するため、前記装置が複数の所定のデータ・パターンを生成することを特徴とする請求項１１に記載の試験装置。
【請求項１３】
前記所定のデータ・パターンを送信する際のパワー・レベルを変化させ、各データ・パターンの送信に対する前記端末の応答を分析することを特徴とする請求項１１または１２に記載の試験装置。
【請求項１４】
前記装置は、ケーブル接続、または、無線インターフェースで前記端末と接続され、前記所定のデータ・パターンを送信することを特徴とする請求項１１ないし１３のいずれか１つに記載の試験装置。
【請求項１５】
パワー測定を行うことで前記アクセス・リクエストを分析することを特徴とする請求項１１ないし１４のいずれか１つに記載の試験装置。
【請求項１６】
変調品質測定を行うことで前記アクセス・リクエストを分析することを特徴とする請求項１１ないし１４のいずれか１つに記載の試験装置。
【発明の詳細な説明】
【技術分野】
【０００１】
本発明は、移動電話端末試験のための方法および装置に関する。
【背景技術】
【０００２】
既知の移動端末試験器は、通信プロトコルの大部分を使用する。基地局は、通信プロトコルを用いて端末と通信し、端末との情報のやりとりを行って、例えば、ビット・エラー・レートや変調の品質といった観点から端末の性能を評価する。故に、これら試験器は、ハードウェアおよびソフトウェアに関し、比較的複雑である。
【発明の開示】
【発明が解決しようとする課題】
【０００３】
よって、本発明の目的は、簡単化された移動電話端末試験の方法および装置を提供することにある。
【課題を解決するための手段】
【０００４】
本目的は、本発明によって、応答、好ましくはアクセス・リクエスト、をトリガする所定の送信データ・パターンを用い、応答（レスポンス）を分析し、端末に応答することなしで端末の性能（パフォーマンス）を評価することにより達成される。よって、試験装置は、関連するハードウェアまたはソフトウェアを備える必要がない。
【発明を実施するための最良の形態】
【０００５】
次に、添付の図面を参照し、本発明を例示的に説明する。
【０００６】
図１に示すように、従来の移動無線試験セットの構成は、以下を含む。
【０００７】
１．  ツリーの最上部に位置するＭＭＩ（マン・マシン・インターフェース）：ＭＭＩは通例、何らかの形態のディスプレイを備え、ユーザに現在の機器および試験の状態を通知する。ユーザは、選択した試験を実施するために鍵(Keys)を用いる。
【０００８】
２．  レイヤ３プロトコル：このレイヤは、移動体へのメッセージを形成し、また、移動体からのメッセージを解釈する。
【０００９】
３．  レイヤ２プロトコル：このレイヤの役割は、レイヤ３への、または、レイヤ３からの、メッセージの伝達および受理において信頼性を確保することである。例えば、移動体にメッセージを送信すれば、通例、応答(response)がある。レイヤ２がこの応答を受理しなければ、最初の伝達は成功していないと判断し、メッセージを再伝達する。
【００１０】
４．  レイヤ１ｂプロトコル：レイヤ１のサブセットの１つである。下り回線において、このレイヤは、レイヤ２のブロックを受け取ってチャネル・エンコーディングを行い、無線インターフェース上での送信を可能にする。上り回線においては、逆のことが行われ、チャネル・デコーディングを行い、移動体からのレイヤ２メッセージを解読する。
【００１１】
５．  レイヤ１ａプロトコル（レイヤ１のサブセットの１つ）：下り回線において、このレイヤは、レイヤ１ｂから２値情報を受け取って変調し、ベースバンドＩおよびＱのサンプルを与える。上り回線に対しては、このレイヤは、ＩＱサンプルを受理して復調し、２値に戻す。
【００１２】
６．  ＩＱ変調器：下り回線において、これは、レイヤ１の生成したベースバンドＩＱを受け取り、局部発振器Ｌ０１を用いて正しいキャリア周波数で信号を生成する。
【００１３】
７．  ＩＱ復調器：ＩＱ変調器とは逆に、すなわち、変調されたキャリアを受け取り、局部発振器Ｌ０２を用いてベースバンドのＩＱを導出する。
【００１４】
８．  ＲＦコンバイナ、ここで、ＲＦ送信および受信の経路は、移動電話のアンテナでの単一の通信９に統合される。
【００１５】
移動体１０が最初に試験セットと接続される時、移動体が認識可能な信号であることが必要である。ＧＳＭでは、この信号は、下り回線１１において、報知チャネル（ＢＣＣＨ（Broadcast Control Channel））の形式をとる。このチャネルには数多くの構成要素が含まれる。
（ａ）  周波数制御チャネル（ＦＣＣＨ（Frequency Control Channel））
（ｂ）  同期チャネル（ＳＣＨ（Synchronisation Channel））
（ｃ）  システム情報メッセージ（System Information Messages）
【００１６】
移動体１０は、ＦＣＣＨおよびＳＣＨを用い、基地局の試験セット・エミュレーションに同期(synchronise)し、移動体がシステム情報メッセージを復調して解釈できるようになる。ひとたび同期すると、移動体は、試験セットに登録を試みてもよい。移動体１０が、この登録処理を開始させる。その際、上り回線１２のランダム・アクセス・チャネル(Random Access Channel)にアクセス・バースト(Access burst)を送信する。試験セットは、アクセス・バーストを復調し、応答する。試験セットと移動体間での一連の簡潔なメッセージのやりとりがあって、両者は、システム情報を交換して照合(verify)する。
【００１７】
ひとたび、移動体１０が登録されると、移動体への、または、移動体からの呼び出し(call)を開始することができるようになり、これによって移動体の送信部および受信部のパラメータの試験が可能となる。
【００１８】
リアル・タイムで移動体と交信する必要があることから、ソフトウェアおよびハードウェアの構造（アーキテクチャ）は複雑化する。
【００１９】
本発明は、単に移動体にランダム・アクセス・チャネルでアクセス・バーストを送信させるだけで大多数の試験を実施できる点を活かし、試験セットの構造を簡単化している。本発明は、図２に示した構造により、このことを実現している。
【００２０】
ＩＱ変調器６は、それに付随する局部発振器（Ｌ０１）とともに依然として残存している。しかし、これに与えられるＩＱデータは、もはや、従来のようなレイヤ１、２、３の構造体から送られては来ない。その代りに、固定報知チャネル(fixed Broadcast Control Channel)をメモリ１３に、ＩＱサンプルとして記憶する。これらは、アドレス・ジェネレータ１４から出力され(clocked out)、ＩＱ変調器６に入力される。
【００２１】
この代りに、プロトコル・スタック２ないし５を用いて所定のパターンを生成してもよい。例えば、ＩＱ変調器６に入力する前に、記憶しているデータ・シンボルを、レイヤ１ａのサブセットである、ベースバンド変調器で処理してもよい。
【００２２】
移動体１０は、アクセス・バーストを送って固定ＢＣＣＨに対して応答するが、応答を得ることはない。試験セットは、パワー・ディテクタを用いて移動体が送信を実施したかどうかを決定する。これについて、ディスプレイ１６によりユーザに示してもよい。パワー・ディテクタ１５は単に、送信パワーが閾レベルよりも大きいか否かを決定するだけでもよいし、または、実際の送信パワー・レベルを求めてこれをディスプレイ１６でリポートしてもよい。
【００２３】
この代りに、無線周波数受信器でアクセス・バーストを受信し、分析を行ってもよい。この分析で、ベクトル値(vector value)といった変調品質を求め、それをリポートしたり、もしくは、それを許容限界と比較してもよい。また、上記の分析で、隣接チャネル・パワー、占有帯域幅、および、スプリアス信号といったスペクトル特性を求めて、これをリポートしたり、もしくは、許容限界と比較してもよい。または、上記の分析により、時系列に対するパワー・エンベロープを求めて、これと、上方許容限界および下方許容限界(upper and lower allowable limits)を定めるマスクとを比較してもよい。
【００２４】
移動体１０は、アクセス・バーストに対する応答を受信できなかった場合、別の信号を探す前に、何度も再試行を行う。
【００２５】
移動体は、記録されたＢＣＣＨの情報から、アクセス・バーストを送信する際のパワー・レベルおよび再試行すべきバーストの回数を知る。そうすることで、数多くの異なるＢＣＣＨを記憶し、また、選択することで、移動体のパワー・レベル・コントロールを試験することができる。
【００２６】
下り回線にアッテネータを配して試験セットから移動体への出力レベルを変化させてもよい。これにより感度の測定が可能となる。つまり、移動体がアクセス・バーストを送信しなくなるまで、徐々に出力パワーを下げていく。
【００２７】
図１に示す先行技術のように、ケーブルを用いて試験セットを直接的に移動電話１０のアンテナのコネクタに接続してもよい。
【００２８】
試験セットと移動体とのケーブル接続９以外に、図３に示すように、カプラ１７の使用も別の選択肢である。
【００２９】
カプラ１７は、１片のケーブルではなく、無線インターフェースを介して移動体１０と接続する。このように、カプラ１７と移動体１０は、図３のスクリーニング１８のように、他の信号から遮蔽(screen)する必要がある。これにより、移動体は試験セットの信号のみを受信することができる。この手法を用いることで、試験セットは、移動体のアンテナが正常に機能しているか検証可能である。
【００３０】
このように、本発明は、プロトコル・スタックの全てを使用する代りに、記憶されている下り回線のデータ・パターン（ＢＣＣＨ）を使用するため、従来の試験セットと比較して、ソフトウェア開発が非常に少なくてよく、また、従来の試験セットのような複雑な信号処理ハードウェアを必要としない。
【００３１】
本発明による試験セットは、シンプル、安価、かつ、堅牢であり、広汎な用途、例えば、移動電話を販売する小売店における、使用にも適している。小売店は、移動体が故障しているかどうか、さらに費用のかかる修理センターへの返送の前にチェックすることが可能である。
【００３２】
本発明は、ＧＳＭを参照して説明しているが、広帯域ＣＤＭＡ(Wideband CDMA)といった他のシステムに適用可能である。
【図面の簡単な説明】
【００３３】
【図１】従来の移動体のレシオ試験セットを示す図である。
【図２】本発明に係る試験セットを示す図である。
【図３】本発明の別の実施形態を示す図である。
【符号の説明】
【００３４】
１  ・・・  ＭＭＩ／制御部              ２  ・・・  レイヤ３
３  ・・・  レイヤ２                    ４  ・・・  レイヤ１ｂ
５  ・・・  レイヤ１ａ                  ６  ・・・  ＩＱ変調器
７  ・・・  ＩＱ復調器                  ８  ・・・  ＲＦコンバイナ
１３  ・・・  ＩＱメモリおよび生成部    １４  ・・・  アドレス生成部
１５  ・・・  パワー・ディテクタ        １６  ・・・  ディスプレイ
【図１】
2005519546.tif 000003
【図２】
2005519546.tif 000004
【図３】
2005519546.tif 000005
【国際調査報告】
2005519546.tif 000006
2005519546.tif 000007
2005519546.tif 000008